(57)【要約】【課題】本発明は、点灯装置および照明器具に関し、使用者に負荷の状態を通知できる点灯装置および照明器具を得ることを目的とする。【解決手段】本発明に係る点灯装置は、出力端に接続された負荷の値に応じて変化する電圧を検出する電圧検出回路と、光源の点灯を制御し、該電圧検出回路の検出電圧があらかじめ定められた異常電圧の範囲の場合に使用者に報知する制御装置と、を備える。本発明に係る照明器具は、該点灯装置と、該光源と、を備える。【選択図】図２
2018120670.tif 000002
【特許請求の範囲】
【請求項１】
出力端に接続された負荷の値に応じて変化する電圧を検出する電圧検出回路と、
光源の点灯を制御し、前記電圧検出回路の検出電圧があらかじめ定められた異常電圧の範囲の場合に使用者に報知する制御装置と、
を備えることを特徴とする点灯装置。
【請求項２】
前記制御装置は、前記出力端からの出力電流が一定になるように制御を行い、
前記電圧検出回路は、前記出力端に印加される電圧を検出することを特徴とする請求項１に記載の点灯装置。
【請求項３】
前記制御装置は、前記異常電圧の範囲の上限値または下限値を含む閾値が記憶された記憶部を備え、
前記制御装置は、前記検出電圧と前記閾値を比較することを特徴とする請求項１または２に記載の点灯装置。
【請求項４】
前記閾値は、第１閾値と、前記第１閾値よりも小さい第２閾値と、前記第２閾値よりも小さい第３閾値と、前記第３閾値よりも小さい第４閾値と、を含み、
前記異常電圧の範囲は、前記第１閾値よりも小さく前記第２閾値以上の範囲と、前記第３閾値よりも小さく前記第４閾値以上の範囲と、を含むことを特徴とする請求項３に記載の点灯装置。
【請求項５】
前記制御装置は、前記検出電圧が前記第１閾値以上の場合または前記第４閾値よりも小さい場合に、前記点灯装置の動作を停止させることを特徴とする請求項４に記載の点灯装置。
【請求項６】
前記出力端に仕様外の光源モジュールが接続された場合の前記検出電圧は、前記異常電圧の範囲であることを特徴とする請求項４または５に記載の点灯装置。
【請求項７】
前記出力端が開放状態の場合、前記検出電圧は前記第１閾値以上であり、
前記出力端が短絡している場合、前記検出電圧は前記第４閾値よりも小さいことを特徴とする請求項４〜６の何れか１項に記載の点灯装置。
【請求項８】
報知部を備え、
前記制御装置は、前記検出電圧が前記異常電圧の範囲の場合に、前記報知部を制御して使用者に報知することを特徴とする請求項１〜７の何れか１項に記載の点灯装置。
【請求項９】
前記報知部は前記光源を備え、
前記制御装置は、前記検出電圧が前記異常電圧の範囲の場合に、前記光源を点滅させることを特徴とする請求項８に記載の点灯装置。
【請求項１０】
前記制御装置は、前記検出電圧が前記異常電圧の範囲の場合に、前記光源を一定の時間間隔で点灯させることを特徴とする請求項９に記載の点灯装置。
【請求項１１】
前記報知部はブザーを備え、
前記制御装置は、前記検出電圧が前記異常電圧の範囲の場合に、前記ブザーを鳴動させることを特徴とする請求項８〜１０の何れか１項に記載の点灯装置。
【請求項１２】
前記報知部はリモコンを備え、
前記制御装置は、前記検出電圧が前記異常電圧の範囲の場合に、前記リモコンにメッセージを表示させることを特徴とする請求項８〜１１の何れか１項に記載の点灯装置。
【請求項１３】
前記制御装置は、前記検出電圧に応じて前記メッセージを変更することを特徴とする請求項１２に記載の点灯装置。
【請求項１４】
請求項１〜１３の何れか１項に記載の点灯装置と、
前記光源と、
を備えることを特徴とする照明器具。
【発明の詳細な説明】
【技術分野】
【０００１】
本発明は、点灯装置および照明器具に関する。
【背景技術】
【０００２】
複数の直管ランプを取り付けるランプソケットを、一部の直管ランプを取り外した状態で使用することがある。特許文献１には、新たに短絡用の接続器などを用いることなく、直管ランプの間引き点灯を可能とするランプソケットが開示されている。
【先行技術文献】
【特許文献】
【０００３】
【特許文献１】特開２０１５−１２２１６７号公報
【発明の概要】
【発明が解決しようとする課題】
【０００４】
２つの直管ランプが点灯装置に対して並列に接続されるランプソケットを、一方の直管ランプを取り外した状態で使用する場合、点灯装置から見ると負荷が半分になる。このため、正常な動作時よりも低負荷状態になり、点灯装置の保護動作により消灯する場合がある。このとき、点灯装置の故障による保護動作なのか、低負荷または過負荷等の正常な動作時とは異なる負荷状態による保護動作なのか判別がつかないという課題があった。
【０００５】
本発明は、上述の課題を解決するためになされたもので、使用者に負荷の状態を通知できる点灯装置および照明器具を得ることを目的とする。
【課題を解決するための手段】
【０００６】
本発明に係る点灯装置は、出力端に接続された負荷の値に応じて変化する電圧を検出する電圧検出回路と、光源の点灯を制御し、該電圧検出回路の検出電圧があらかじめ定められた異常電圧の範囲の場合に使用者に報知する制御装置と、を備える。
【発明の効果】
【０００７】
本発明に係る点灯装置では、点灯装置の出力端に接続された負荷の値が検出電圧として検出される。制御装置は、検出電圧が異常電圧の範囲の場合に使用者に報知する。このため、使用者に出力端に接続された負荷の状態を通知できる。
【図面の簡単な説明】
【０００８】
【図１】実施の形態１に係る照明器具の回路ブロック図である。
【図２】実施の形態１に係る照明器具の動作を説明する図である。
【図３】実施の形態１のＬＥＤ電流波形を示す図である。
【図４】実施の形態２に係る照明器具の回路ブロック図である。
【発明を実施するための形態】
【０００９】
本発明の実施の形態に係る点灯装置および照明器具について図面を参照して説明する。同じ又は対応する構成要素には同じ符号を付し、説明の繰り返しを省略する場合がある。
【００１０】
実施の形態１．
図１は、実施の形態１に係る照明器具１００の回路ブロック図である。本実施の形態に係る照明器具１００は、光源モジュール１１を備える。光源モジュール１１は、例えば直管ランプまたはＬＥＤモジュールである。光源モジュール１１は、複数の光源１１ａを備える。複数の光源１１ａは直列、並列または直並列に接続される。光源１１ａは例えば、ＬＥＤである。光源モジュール１１が備える光源１１ａの数は複数であれば良い。
【００１１】
光源モジュール１１は、ランプ検出用抵抗１３を備える。直列に接続された複数の光源１１ａのうち、一端の光源１１ａのアノードとランプ検出用抵抗１３の一端が接続される。直列に接続された複数の光源１１ａのうち、他端の光源１１ａのカソードとランプ検出用抵抗１３の他端が接続される。
【００１２】
照明器具１００は、点灯装置１２を備える。光源モジュール１１は、点灯装置１２の出力端６０に接続される。点灯装置１２は光源１１ａを点灯させる。点灯装置１２は、直流電源２を備える。直流電源２は壁スイッチを介して交流電源７と接続される。交流電源７は外部電源である。直流電源２が備える整流回路８は、交流電源７と接続される。整流回路８の出力端子には、コンデンサ９が並列に接続される。コンデンサ９は、平滑コンデンサである。
【００１３】
コンデンサ９には、第１分圧回路が並列に接続される。第１分圧回路は直列に接続された抵抗３１および抵抗３２から構成される。コンデンサ９の両端に印加される電圧は抵抗３１、３２によって分圧され、制御装置４０に入力される。第１分圧回路は、交流電源７を整流した電圧に応じた電圧を検出する。
【００１４】
整流回路８の高電位側には、インダクタ１０の一端が接続される。インダクタ１０の他端は、スイッチング素子Ｑ１の第１端子およびダイオード１４のアノードに接続される。スイッチング素子Ｑ１は、ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。また、スイッチング素子Ｑ１の第１端子はドレインである。
【００１５】
スイッチング素子Ｑ１の第２端子は整流回路８の低電位側に接続される。スイッチング素子Ｑ１の第２端子はソースである。また、スイッチング素子Ｑ１の制御端子は制御装置４０と接続される。制御端子は第１端子と第２端子との間をスイッチングするための端子である。制御端子はゲートである。ダイオード１４のカソードにはコンデンサ１７の正極が接続される。コンデンサ１７は電解コンデンサである。コンデンサ１７の負極は、整流回路８の低電位側に接続される。
【００１６】
インダクタ１０、スイッチング素子Ｑ１、ダイオード１４およびコンデンサ１７は昇圧チョッパ回路を構成する。コンデンサ１７には第２分圧回路が並列に接続される。第２分圧回路は直列に接続された抵抗１５および抵抗１６から構成される。コンデンサ１７の両端に印加される電圧は抵抗１５、１６を用いて分圧され、制御装置４０に入力される。以上から、直流電源２が構成される。
【００１７】
抵抗１５、１６は、直流電源２の出力端に設けられる。抵抗１５、１６は、直流電源２の出力電圧を検出する。抵抗１６に印加される検出電圧は制御装置４０に入力される。制御装置４０はこの検出電圧に基づいて、直流電源２の出力電圧が一定になるようにスイッチング素子Ｑ１をオンオフする。
【００１８】
点灯装置１２は、バックコンバータ回路３を備える。バックコンバータ回路３は直流電源２の出力に接続される。コンデンサ１７の正極はスイッチング素子Ｑ２の第１端子と接続される。スイッチング素子Ｑ２は、ＭＯＳＦＥＴである。スイッチング素子Ｑ２の第１端子はドレインである。スイッチング素子Ｑ２の第２端子にはダイオード２１のカソードが接続される。スイッチング素子Ｑ２の第２端子はソースである。ダイオード２１のアノードは、コンデンサ１７の負極に接続される。つまり、スイッチング素子Ｑ２とダイオード２１からなる直列回路が、コンデンサ１７と並列に接続される。
【００１９】
スイッチング素子Ｑ２の制御端子は、制御装置４０と接続される。制御端子はゲートである。インダクタ２２、コンデンサ２３および検出抵抗２４がこの順に接続して、直列回路を形成する。この直列回路はダイオード２１に並列に接続される。インダクタ２２はチョークコイルとして用いられる。コンデンサ２３には電圧検出回路５０が並列に接続される。電圧検出回路５０は直列に接続された抵抗５１および抵抗５２によって構成される。コンデンサ２３の両端に印加される電圧は抵抗５１、５２を用いて分圧され、制御装置４０に入力される。以上からバックコンバータ回路３が構成される。
【００２０】
検出抵抗２４は、光源モジュール１１を流れるＬＥＤ電流の検出に用いられる。検出抵抗２４には、ＬＥＤ電流に対応した検出電圧が印加される。検出電圧は、制御装置４０に入力される。制御装置４０はこの検出電圧に基づいて、光源モジュール１１に流れるＬＥＤ電流が一定電流になるように、スイッチング素子Ｑ２をオンオフする。
【００２１】
電圧検出回路５０は、点灯装置１２の出力端６０に設けられている。電圧検出回路５０は、光源モジュール１１に印加される電圧の検出に用いられる。抵抗５２に印加される検出電圧Ｖｄは制御装置４０に入力される。制御装置４０は、検出電圧Ｖｄに基づいて、光源モジュール１１の接続有無および電圧異常を検出する。
【００２２】
制御装置４０は、光源１１ａの点灯を制御する。制御装置４０には、デジタル電源用制御装置であるマイコンを使用する。また、ＤＳＰ（Ｄｉｇｉｔａｌ  Ｓｉｇｎａｌ  Ｐｒｏｃｅｓｓｏｒ）等の演算装置を使用しても良い。また、点灯装置１２は制御電源生成回路１１０を備える。制御電源生成回路１１０は、コンデンサ１７の正極に接続される。制御電源生成回路１１０は、直流電源２にて整流および昇圧された出力電圧をもとに、制御装置４０用の電源を生成して出力する。制御装置４０の電源は、制御電源生成回路１１０から供給される。
【００２３】
制御装置４０は、２つの制御回路、記憶部、Ａ／Ｄ変換回路および処理装置を備える。
２つの制御回路、記憶部、Ａ／Ｄ変換回路および処理装置は、内部バスを介して互いに接続されている。２つの制御回路は、スイッチング素子Ｑ１、Ｑ２にＰＷＭ（Ｐｕｌｓｅ  Ｗｉｄｔｈ  Ｍｏｄｕｌａｔｉｏｎ）信号をそれぞれ出力する。ＰＭＷ信号は、スイッチング素子Ｑ１、Ｑ２をスイッチングする。
【００２４】
記憶部は、例えば不揮発性メモリを備える。記憶部は、処理装置で実行される演算プログラムおよび演算に用いられる各種データを記憶している。記憶部は、外部からデータの書き込みおよび読み出しが行われるように設けられる。処理装置は、スイッチング素子Ｑ１、Ｑ２のスイッチング制御におけるオン時間などを算出する。
【００２５】
第１分圧回路、第２分圧回路、電圧検出回路５０および検出抵抗２４からの検出電圧は制御装置４０に入力される。Ａ／Ｄ変換回路は、これらの検出電圧をデジタル値に変換する。処理装置は、このデジタル値を用いて演算処理を実行する。記憶部には、予め設定された目標電圧が記憶されている。制御装置４０は、直流電源２の出力電圧が目標電圧に一致するように、スイッチング素子Ｑ１のオン時間を調整することで定電圧制御を行っている。
【００２６】
照明器具１００は、調光器２８および調光信号インターフェイス（Ｉ／Ｆ）回路４を備える。制御装置４０には、調光信号Ｉ／Ｆ回路４を介して調光器２８からの調光指令値が入力される。制御装置４０は、ＬＥＤ電流と、調光指令値に基づいて決定される目標電流とが一致するように、検出抵抗２４で検知したＬＥＤ電流に基づいてスイッチング素子Ｑ２のオン時間を調整する。
【００２７】
点灯装置１２は通信部１１１を備える。通信部１１１は、リモコン２０からの無線信号を受信する。通信部１１１は制御装置４０に接続される。無線信号は、通信部１１１を介して制御装置４０に入力される。また、制御装置４０は、通信部１１１を介してリモコン２０に無線信号を送信する。
【００２８】
図２は、実施の形態１に係る照明器具１００の動作を説明する図である。本実施の形態に係る照明器具１００は、お知らせ機能を備える。お知らせ機能は、点灯装置１２に適応していない光源モジュールが接続されている場合に、使用者に報知する機能である。照明器具１００は報知部を備える。制御装置４０は、点灯装置１２に適応していない光源モジュールが接続されている場合に、報知部を制御して使用者に報知する。本実施の形態において報知部は、光源１１ａを備える。
【００２９】
制御装置４０の記憶部には、予め４つの閾値Ｖｔｈ１〜Ｖｔｈ４が記憶されている。第２閾値Ｖｔｈ２は第１閾値Ｖｔｈ１よりも小さい。第３閾値Ｖｔｈ３は、第２閾値Ｖｔｈ２よりも小さい。第４閾値Ｖｔｈ４は第３閾値Ｖｔｈ３よりも小さい。
【００３０】
制御装置４０は、出力端６０からの出力電流が一定になるように制御を行う。このため、出力端６０に接続された負荷の値が大きい程、出力端６０に印加される電圧は大きくなる。電圧検出回路５０は、出力端６０に印加される電圧を検出する。つまり、出力端６０に接続された負荷の値が大きい程、電圧検出回路５０の検出電圧Ｖｄが大きくなる。
【００３１】
第１閾値Ｖｔｈ１は、開放状態を判定するための閾値である。出力端６０が開放状態の場合に検出電圧Ｖｄが、第１閾値Ｖｔｈ１以上となるように、第１閾値Ｖｔｈ１は設定される。また、第４閾値Ｖｔｈ４は短絡を判定するための閾値である。出力端６０が短絡している場合に、検出電圧Ｖｄが第４閾値Ｖｔｈ４よりも小さくなるように、第４閾値Ｖｔｈ４は設定される。
【００３２】
第２閾値Ｖｔｈ２および第３閾値Ｖｔｈ３は、出力端６０に仕様外の光源モジュールが接続されていることを判定するための閾値である。第２閾値Ｖｔｈ２は、点灯装置１２に適応した光源モジュール１１が出力端６０に接続された状態における検出電圧Ｖｄの上限値に設定される。また、第３閾値Ｖｔｈ３は、点灯装置１２に適応した光源モジュール１１が出力端６０に接続された状態における検出電圧Ｖｄの下限値に設定される。
【００３３】
つまり、出力端６０に仕様外の光源モジュールが接続された場合の検出電圧Ｖｄは、第１閾値Ｖｔｈ１よりも小さく第２閾値Ｖｔｈ２以上の範囲または、第３閾値Ｖｔｈ３よりも小さく第４閾値Ｖｔｈ４以上の範囲となる。ここで、第１閾値Ｖｔｈ１よりも小さく第２閾値Ｖｔｈ２以上の範囲と、第３閾値Ｖｔｈ３よりも小さく第４閾値Ｖｔｈ４以上の範囲を異常電圧の範囲とする。本実施の形態では、制御装置４０は、検出電圧Ｖｄがあらかじめ定められた異常電圧の範囲の場合に、使用者に報知する。
【００３４】
また、第２閾値Ｖｔｈ２は、照明器具１００が通常点灯を行う場合における検出電圧Ｖｄの最大値であっても良い。第３閾値Ｖｔｈ３は、照明器具１００が通常点灯を行う場合における検出電圧Ｖｄの最小値であっても良い。ここで、通常点灯とは、ＬＥＤ電流と調光指令値に基づいて決定される目標電流とが一致するように、制御装置４０がスイッチング素子Ｑ２をオンオフしている状態を示す。
【００３５】
点灯装置１２に交流電源７が供給され、点灯装置１２が動作を開始すると、点灯装置１２の出力電圧が上昇する。点灯装置１２の出力電圧は、時間の経過とともに安定する。このため、図２に示すように、電圧検出回路５０の検出電圧Ｖｄも、時間の経過に伴い上昇した後に安定する。このとき、制御装置４０は、出力端６０からの出力電流が一定になるように制御を行っている。点灯装置１２の動作の開始から一定時間が経過し、出力端６０に印加される電圧が安定した状態において、制御装置４０は電圧検出回路５０の検出電圧Ｖｄと閾値Ｖｔｈ１〜Ｖｔｈ４とを比較する。比較結果に応じて、制御装置４０は、光源１１ａの点灯を制御する。
【００３６】
次に、比較結果に応じた照明器具１００の動作について説明する。まず、検出電圧Ｖｄが第１閾値Ｖｔｈ１以上場合、出力端６０は開放状態であると判断される。つまり、出力端６０に直管ランプなどの負荷が接続されていない状態であると判断される。この場合、制御装置４０は、点灯装置１２の動作を停止させる。
【００３７】
次に、検出電圧Ｖｄが第１閾値Ｖｔｈ１より小さく、かつ、第２閾値Ｖｔｈ２以上の場合は、出力端６０に仕様外の光源モジュールが接続されていると判断される。仕様外の光源モジュールは、例えば、ランプ検出用抵抗１３を備えないランプまたはランプ検出用抵抗１３の抵抗値が規定値よりも大きいランプである。この場合、お知らせ機能により、制御装置４０は複数の光源１１ａが一定時間点滅するように、スイッチング素子Ｑ２をオンオフする。ここで、一定時間は例えば数秒である。
【００３８】
制御装置４０は、検出電圧Ｖｄがあらかじめ定められた異常電圧の範囲Ｖｔｈ２〜Ｖｔｈ１の場合に、光源１１ａを点滅させる。これにより、出力端６０に仕様外の光源モジュールが接続されていることを、使用者に報知し、使用者にランプの交換を促すことができる。ここで、使用者は作業者であっても良い。
【００３９】
次に、検出電圧Ｖｄが第２閾値Ｖｔｈ２より小さく、かつ、第３閾値Ｖｔｈ３以上の場合は、出力端６０に正常な光源モジュール１１が接続されていると判断される。正常な光源モジュール１１とは、点灯装置１２に適応した光源モジュール１１である。また、正常な光源モジュール１１は、抵抗値が点灯装置１２の仕様の範囲内であるものとしても良い。この場合、制御装置４０は複数の光源１１ａを通常点灯させる。
【００４０】
次に、電圧検出回路５０の検出電圧Ｖｄが第３閾値Ｖｔｈ３よりも小さく、かつ、第４閾値Ｖｔｈ４以上の場合は、出力端６０に仕様外の光源モジュールが接続されていると判断される。仕様外の光源モジュールは、例えば、複数の光源１１ａのうち一部が間引かれているランプまたはランプ検出用抵抗１３の抵抗値が規定値よりも小さいランプである。この場合、お知らせ機能により、制御装置４０は複数の光源１１ａが一定時間点滅するようにスイッチング素子Ｑ２をオンオフする。ここで、一定時間は例えば数秒である。
【００４１】
制御装置４０は、電圧検出回路５０の検出電圧Ｖｄがあらかじめ定められた異常電圧の範囲Ｖｔｈ４〜Ｖｔｈ３の場合に、光源１１ａを点滅させる。これにより、出力端６０に仕様外の光源モジュールが接続されていることを、使用者に報知し、使用者にランプの交換を促すことができる。
【００４２】
次に、電圧検出回路５０の検出電圧Ｖｄが第４閾値Ｖｔｈ４よりも小さい場合、出力端６０は短絡していると判断される。この場合、制御装置４０は、点灯装置１２の動作を停止させる。
【００４３】
図３は、実施の形態１のＬＥＤ電流波形を示す図である。本実施の形態では、検出電圧Ｖｄが異常電圧の範囲Ｖｔｈ４〜Ｖｔｈ３、Ｖｔｈ２〜Ｖｔｈ１の場合に、お知らせ機能により光源１１ａが点滅する。ここで、制御装置４０は光源１１ａを一定の時間間隔で点灯させることが望ましい。これにより、使用者がお知らせ機能による光源１１ａの点滅を、点灯装置１２の故障と間違って認識することを防止できる。また、お知らせ機能によって制御装置４０は光源１１ａを周期的に点灯させるものとしても良い。また、お知らせ機能によって制御装置４０は、ＬＥＤ電流が増加と減少を繰り返すように制御するものとしても良い。
【００４４】
お知らせ機能による光源１１ａの点滅は、図３に示すパターン１〜パターン３のように行われても良い。パターン１〜パターン３の各々において、上側ほどＬＥＤ電流が大きい。パターン１において、制御装置４０は、光源１１ａを５回点滅させた後に、一定期間消灯状態を保持する。パターン２において、制御装置４０は、光源１１ａを１回点滅させた後に、一定期間消灯状態を保持する。パターン３において、制御装置４０はＬＥＤ電流が大きい状態と小さい状態を一定の時間間隔で繰り返す。
【００４５】
以上から、本実施の形態では、点灯装置１２に適応していない負荷が出力端６０に接続されている場合に、光源１１ａが点滅する。これにより、使用者に負荷の状態を報知できる。従って、使用者に負荷の交換を促すことができる。
【００４６】
本実施の形態では、制御装置４０は、電圧検出回路５０の検出電圧Ｖｄを用いて、出力端６０に接続された負荷の状態を判断する。ここで、制御装置４０は、出力端６０に接続された負荷の状態を、別の電圧を用いて判断しても良い。制御装置４０が用いる電圧は、出力端６０に接続された負荷の値に応じて変化する電圧であれば良い。
【００４７】
また、本実施の形態では、制御装置４０の記憶部には、４つの閾値Ｖｔｈ１〜Ｖｔｈ４が記憶されている。これに対し、記憶部に記憶される閾値は、異常電圧の範囲Ｖｔｈ４〜Ｖｔｈ３の上限値Ｖｔｈ３または異常電圧の範囲Ｖｔｈ２〜Ｖｔｈ１の下限値Ｖｔｈ２が含まれていれば、４つ以外でも良い。また、検出電圧Ｖｄが異常電圧の範囲Ｖｔｈ２〜Ｖｔｈ１の場合と、異常電圧の範囲Ｖｔｈ４〜Ｖｔｈ３の場合とで、光源１１ａの点滅のパターンが異なるものとしても良い。
【００４８】
本実施の形態の変形例として、報知部はリモコン２０を備えるものとしても良い。この場合、制御装置４０は、電圧検出回路５０の検出電圧Ｖｄが異常電圧の範囲Ｖｔｈ２〜Ｖｔｈ１、Ｖｔｈ４〜Ｖｔｈ３の場合に、リモコン２０にメッセージを表示させる。リモコン２０は液晶画面を備える。制御装置４０は、通信部１１１を経由して、リモコン２０に液晶画面への表示指示用の信号を送信する。これにより、リモコン２０の液晶画面に、メッセージが表示される。従って、使用者に出力端６０に仕様外の光源モジュールが接続されていることが報知される。また、制御装置４０は、検出電圧Ｖｄに応じてリモコン２０に表示させるメッセージを変更しても良い。
【００４９】
これらの変形は以下の実施の形態に係る点灯装置および照明器具について適宜応用することができる。なお、以下の実施の形態に係る点灯装置および照明器具については実施の形態１との共通点が多いので、実施の形態１との相違点を中心に説明する。
【００５０】
実施の形態２．
図４は、実施の形態２に係る照明器具２００の回路ブロック図である。実施の形態１では、点灯装置１２に適応していない直管ランプが接続されているとき、複数の光源１１ａを点滅させた。これにより、制御装置４０は、点灯装置１２に適応していない直管ランプが接続されていることを使用者に報知した。また、実施の形態１では、リモコン２０の液晶画面にメッセージを表示して、点灯装置１２に適応していない直管ランプが接続されていることを使用者に報知した。
【００５１】
本実施の形態では、照明器具２００はブザー２０１を備える。ブザー２０１は、制御装置４０に接続される。その他の構造は、照明器具１００と同様である。本実施の形態に係る報知部はブザー２０１を備える。出力端６０に点灯装置２１２に適応していない光源モジュールが接続されているとき、ブザー２０１を鳴らすようにしてもよい。
【００５２】
実施の形態１と同様に、制御装置４０の記憶部には、予め４つの閾値Ｖｔｈ１〜Ｖｔｈ４が記憶されている。第１〜第４閾値Ｖｔｈ１〜Ｖｔｈ４の値は、実施の形態１と同じである。実施の形態１と同様に、点灯装置２１２の動作の開始から一定時間が経過し、出力端６０に印加される電圧が安定した状態において、制御装置４０は電圧検出回路５０の検出電圧Ｖｄと閾値Ｖｔｈ１〜４とを比較する。比較結果に応じて、制御装置４０はブザー２０１を鳴動させる。
【００５３】
次に、比較結果に応じた照明器具２００の動作について説明する。検出電圧Ｖｄが第１閾値Ｖｔｈ１以上の場合の動作は実施の形態１と同様である。次に、検出電圧Ｖｄが第１閾値Ｖｔｈ１より小さく、かつ、第２閾値Ｖｔｈ２以上の場合は、出力端６０に仕様外の光源モジュールが接続されていると判断される。この場合、お知らせ機能により制御装置４０は一定時間、ブザー２０１を鳴動させる。
【００５４】
制御装置４０は、電圧検出回路５０の検出電圧Ｖｄがあらかじめ定められた異常電圧の範囲Ｖｔｈ２〜Ｖｔｈ１の場合に、ブザー２０１を鳴動させる。これにより、出力端６０に仕様外の光源モジュールが接続されていることを、使用者に報知できる。従って、使用者にランプの交換を促すことができる。
【００５５】
検出電圧Ｖｄが第２閾値Ｖｔｈ２より小さく、かつ、第３閾値Ｖｔｈ３以上の場合の動作は実施の形態１と同様である。次に、電圧検出回路５０の検出電圧Ｖｄが第３閾値Ｖｔｈ３よりも小さく、かつ、第４閾値Ｖｔｈ４以上の場合は、出力端６０に仕様外の光源モジュールが接続されていると判断される。この場合、お知らせ機能により制御装置４０は一定時間、ブザー２０１を鳴動させる。
【００５６】
制御装置４０は、検出電圧Ｖｄがあらかじめ定められた異常電圧の範囲Ｖｔｈ４〜Ｖｔｈ３の場合に、ブザー２０１を鳴動させる。これにより、出力端６０に仕様外の光源モジュールが接続されていることを、使用者に報知できる。従って、使用者にランプの交換を促すことができる。検出電圧Ｖｄが第４閾値Ｖｔｈ４よりも小さい場合の動作は、実施の形態１と同様である。
【００５７】
本実施の形態によれば、点灯装置１２に適応していない直管ランプが接続されているとき、ブザー２０１を鳴動させる。これにより、点灯装置１２に適応していない負荷が接続されている場合に、使用者に正しいランプへの交換を促すことができる。
【００５８】
本実施の形態では点灯装置２１２がブザー２０１を備える。これに対し、ブザー２０１は点灯装置２１２の外部に設けられても良い。なお、各実施の形態で説明した技術的特徴は適宜に組み合わせて用いてもよい。
【符号の説明】
【００５９】
１００、２００  照明器具、１２、２１２  点灯装置、１１ａ  光源、１１  光源モジュール、６０  出力端、５０  電圧検出回路、４０  制御装置、Ｖｔｈ１  第１閾値、Ｖｔｈ２  第２閾値、Ｖｔｈ３  第３閾値、Ｖｔｈ４  第４閾値、２０１  ブザー、２０  リモコン
【図１】
2018120670.tif 000003
【図２】
2018120670.tif 000004
【図３】
2018120670.tif 000005
【図４】
2018120670.tif 000006